(57)【要約】【課題】作業ゾーンを限定して隔離範囲を小さくすることで設備を小規模化させることができ、設備コストの低減と工期の短縮を図ることができとともに、空間の有効利用を図るようにした。【解決手段】作業ユニット１は、建築物２の天井面２ａのアスベストを所定の作業領域内で除去作業を行なうためのものであって、建築物２の内部に設けられた走行レール３、３と、走行レール３上を走行可能に設けられた走行台車４と、走行台車４に設けられていて隔離シート５４によって周囲から隔離されてなる作業ゾーンＲを有する作業架台５と、作業架台５に隣接されていて作業ゾーンＲに出入り可能とされるとともに人に付着したアスベスト片を取り除くためのセキュリティゾーンＵを有するセキュリティ架台６と、作業ゾーンＲを減圧する除塵装置５５とを備えている。【選択図】図２
2008308914.tif 000002
【特許請求の範囲】
【請求項１】
建築物のアスベストを取り扱う作業に使用される作業ユニットであって、
ガイド部材と、
前記ガイド部材に沿って走行可能に設けられた走行台車と、
前記走行台車に設けられていて、仕切り部材によって周囲から隔離されてなる作業ゾーンを有する作業架台と、
前記作業架台に隣接されていて、前記作業ゾーンに出入り可能とされるとともに人に付着したアスベスト片を取り除くためのセキュリティゾーンを有するセキュリティ架台と、
前記作業ゾーンを減圧する減圧手段と、
を備えることを特徴とする作業ユニット。
【請求項２】
前記作業ゾーンは、アスベストを取り扱う作業面の一部を施工可能とする大きさをなし、
前記作業架台を移動させることで、前記作業面の施工位置を変えていくことを特徴とする請求項１に記載の作業ユニット。
【請求項３】
前記セキュリティゾーンには、エアシャワー装置が設けられていることを特徴とする請求項１又は２に記載の作業ユニット。
【発明の詳細な説明】
【技術分野】
【０００１】
本発明は、例えば工場や倉庫の大空間建築物等の天井面や壁面に設けられたアスベストを取り扱う作業に使用される作業ユニットに関する。
【背景技術】
【０００２】
従来、天井や壁の建築資材には、断熱性、耐火性の効果が高いといった理由からアスベスト（石綿）が多く使用されていた。ところが、周知のとおりアスベストは非常に微細な繊維形状をなしており、とくにアスベストが室内空間に露出している部分が剥がれ落ちると空気中にアスベストが飛散し、それを人が吸引したときに人体に与える影響が大きく社会的問題となっている。このような背景から、近年では、アスベストが使用されている建築物のアスベスト除去工事が行われている。
【０００３】
そして、アスベスト除去作業などのアスベストを取り扱う作業では、例えば天井面を作業面とする場合において、天井全面に沿って作業足場を設置してステージを設け、そのステージ上で作業を行っている。そして、作業ゾーン全体（室内全体）を隔離シートで覆って外部と隔離するとともに、その作業ゾーンを減圧空間とすることで、アスベストの飛散を防ぐようにして作業を行っているのが一般的である。
また、作業員はアスベストを吸引しないように防塵マスクや防護服を着用して動きにくい状態で作業を行うことから、動きにくく、作業効率が低下するといった欠点があった。これに対し、作業効率を向上させるために除去作業や除去したアスベストを回収する作業を機械化させた装置が開発されている（例えば、特許文献１、特許文献２参照）。
特許文献１及び特許文献２は、上下方向に伸縮可能なブーム式の昇降装置を備え、その昇降装置に切削機構を有する除去装置や回収装置を取り付けて自動或いは手動操作によって天井面や壁面を切削してアスベストを除去する装置について開示したものである。
【特許文献１】特開２０００−７９３８０号公報
【発明の開示】
【発明が解決しようとする課題】
【０００４】
しかしながら、従来の建築物内におけるアスベストを取り扱う作業をでは、以下のような問題があった。
すなわち、建築物が工場や倉庫などの大空間建築物の場合に、大空間全体を隔離する必要があり、隔離シートを設置する作業に手間と時間がかかるうえ、その大空間全体を減圧空間にするために除塵装置などの換気装置を複数台設置することになり、設備費、運搬費、設置にかかる労務費といったコストと時間とがかかるといった問題があった。
さらに、大空間建築物において天井全面にわたって作業足場を設置する場合には、設置する高さ、面積ともに大規模となり、足場材の使用量が多く、材料費が増大するとともに、作業足場の組み立て、解体、運搬にかかる手間や時間が大きくなるといった問題があった。しかも、作業足場が設置されていたり、室内全体が隔離された空間となることから、その空間内でアスベストを取り扱う作業を行っている期間は、その室内で他の作業を行なうことができないといった問題があった。
【０００５】
本発明は、上述する問題点に鑑みてなされたもので、作業ゾーンを限定して隔離範囲を小さくすることで設備を小規模化させることができ、設備コストの低減と工期の短縮を図ることができる作業ユニットを提供することを目的とする。
また、本発明の他の目的は、空間の有効利用を図るようにした作業ユニットを提供することである。
【課題を解決するための手段】
【０００６】
上記目的を達成するため、本発明に係る作業ユニットでは、建築物のアスベストを取り扱う作業に使用される作業ユニットであって、ガイド部材と、ガイド部材に沿って走行可能に設けられた走行台車と、走行台車に設けられていて、仕切り部材によって周囲から隔離されてなる作業ゾーンを有する作業架台と、作業架台に隣接されていて、作業ゾーンに出入り可能とされるとともに人に付着したアスベスト片を取り除くためのセキュリティゾーンを有するセキュリティ架台と、作業ゾーンを減圧する減圧手段とを備えることを特徴としている。
本発明では、移動可能な作業架台の作業ゾーンを仕切り部材によって覆って密閉状態とし、周囲から隔離するとともに、作業ゾーンを減圧状態とすることで、作業によって生じるアスベスト片が作業ゾーンから外方に拡散することを防止することができる。そして、作業ゾーンへの人の出入りがセキュリティゾーンを介すことになり、出入り時にアスベスト片が作業ゾーンから外方に拡散することがなく、作業ゾーン内で作業を行った人がセキュリティゾーンで例えば衣服等に付着したアスベストを取り除いてから作業ユニットの外に出ることができる。さらに、作業ユニットは、作業架台をガイド部材に沿わせて移動させることができるので、作業ゾーンを限定させた大きさにすることができ、作業ユニットが小規模で簡単な設備となる。そのため、減圧するための除塵装置の設置台数、設備規模を減らすことができるうえ、作業ユニットの組み立て、解体にかかるコストの低減を図ることができる。また、アスベストを取り扱う作業中には、従来のように施工する天井面全面にわたって作業足場を設置する必要がないので、足場材の部材費、組み立て、解体、運搬にかかるコストを低減することができるとともに、例えば建築物に予め設置されている機械、器具、計器類等の設備を移動させたり、シート等で覆う手間をなくすことができる。
【０００７】
また、本発明に係る作業ユニットでは、作業ゾーンは、アスベストを取り扱う作業面の一部を施工可能とする大きさをなし、作業架台を移動させることで、作業面の施工位置を変えていくことが好ましい。
本発明では、作業架台を順次移動させることで、作業面における作業位置を変えながら作業面の全範囲の施工を行うことができる。
【０００８】
また、本発明に係る作業ユニットでは、セキュリティゾーンには、エアシャワー装置が設けられていることが好ましい。
本発明では、作業ゾーン内でアスベストを取り扱う作業を行った作業員に付着しているアスベスト片を、エアシャワー装置より噴出されるエアにより除去することができる。
【発明の効果】
【０００９】
本発明の作業ユニットによれば、移動可能な作業ゾーンを仕切り部材によって周囲から隔離し、且つ減圧させ、さらに作業ゾーンへの人の出入りをセキュリティゾーンを介して行なうことができ、作業によって生じるアスベスト片が作業ゾーンから外方に拡散することを確実に防ぐことができる。そのため、作業ゾーンの隔離範囲を限定することができ、作業ユニットを簡単且つ小規模化させることができる。したがって、従来のように室内（空間内）全体を隔離するための隔離シートを設置したり、その室内全体を減圧するために多数の除塵装置を設置する必要がなく、コストの低減と工期の短縮を図ることができる。さらに、大空間建築物であっても作業範囲の全面に作業足場を設置する必要がなくなることから、コストを低減することができるうえ、組み立てや解体にかかる工期の短縮を図ることができる。
そして、作業ユニットの外方の空間を確保することができ、その空間を有効利用できるため、作業ユニットの外方では例えば機械、設備の点検等の他の作業を行うことがきるといった効果を奏する。
【発明を実施するための最良の形態】
【００１０】
以下、本発明の実施の形態による作業ユニットについて、図１乃至図４に基づいて説明する。
図１は本発明の実施の形態による作業ユニットの全体概要を示す側面図、図２は同じく作業ユニットの正面図、図３は同じく作業ユニットの平面図、図４は図２に示す作業ユニットの骨組み構造の正面図である。
【００１１】
図１及び図２に示すように、本実施の形態による作業ユニット１は、例えば工場などの大空間を有する建築物２の天井面２ａに設けられたのアスベストを所定の作業領域内で除去作業を行なうためのものである。
ここで、建築物２は、図３に示すように平面視で長方形状をなす空間を有し、天井面２ａが本第一の実施の形態による作業面をなしている。
【００１２】
図１乃至図３に示すように、作業ユニット１は、建築物２内の上方でその長手方向の壁面２ｂ、２ｂに沿って設置された一対の走行レール３、３（ガイド部材）と、走行レール３、３に沿って走行可能に設けられた走行台車４と、走行台車４に固定されるとともにアスベスト除去作業が行われる作業ゾーンＲを有する作業架台５と、作業架台５の下側に隣接されていて作業ゾーンＲ内で作業を行った作業員に付着したアスベスト片を取り除くためのセキュリティゾーンＵを有するセキュリティ架台６とから概略構成されている。
【００１３】
走行レール３、３は、本実施の形態では、天井クレーン用のレールが使用されている。この走行レール３、３は、天井面２ａの下側の所定の高さの位置に壁面２ｂに固定されている鋼材等からなるレール支持架台２ｃ上に固定されている。
走行台車４は、走行レール３に沿って転動する車輪４１と、車輪４１を駆動させるための図示しない電動モータとを備えている。
【００１４】
図３に示すように、作業架台５は、平面視で略正方形状をなし、上述したように走行台車４の走行とともに建築物２の長手方向に移動可能とされている。つまり、作業架台５は、一対の走行レール３、３を跨ぐようにして、左右２台ずつ設けられている走行台車４に固定されている。作業架台５における作業ゾーンＲは、アスベスト除去面をなす作業面（本実施の形態では天井面２ａ）の一部を施工可能とする大きさをなしている。
【００１５】
そして、図４に示すように、作業架台５は、鋼材或いは足場材などで枠組みされた架台部５１と、架台部５１上に敷設された作業床５２と、作業床５２上に立設されていて天井面２ａに下方より当接させてなる支柱部材５３と、作業床５２上の作業ゾーンＲの周囲を仕切ってその作業ゾーンＲを外部から隔離した空間とするための隔離シート５４（仕切り部材）とから概略構成されている。
【００１６】
架台部５１は、各走行台車４に固定され、走行レール３、３の延長方向に直交する方向に延在する横梁材５１ａと、横梁材５１ａ同士を上下方向に連結する縦部材５１ｂと、ブレース５１ｃとからトラス状に組み合わされた骨組み構造をなしている。
【００１７】
作業床５２としては、鋼板等の足場板を採用することができる。そして、作業床５２から作業面をなす天井面２ａまでの高さ寸法は、例えば作業ゾーンＲで作業を行なう人の背丈程度とされ、作業し易い高さとなるように設定されることが好ましいとされる。
作業床５２には、セキュリティ架台６の内側（セキュリティゾーンＵ）に通じる出入口５２ａが形成されている。この出入口５２ａには、図示しない開閉扉が設けられ、作業ゾーンＲへの出入り時に開かれ、基本的にアスベスト除去作業時には閉じた状態としておく。
【００１８】
図１及び図２に示すように、隔離シート５４は、ビニールシート等が使用され、下端が作業床５２に密接した状態で固定され、上端は天井面２ａに対して着脱可能に且つ密接した状態で固定されている。これにより、作業ゾーン５は、作業面をなす天井面２ａが開口した状態とされ、周囲から密閉された空間になっている。
【００１９】
そして、この作業ゾーンＲ内には除塵装置５５（減圧手段）が設置され、除去作業中には作業ゾーンＲを減圧させて大気圧より低い圧力状態に保つようになっている。なお、この除塵装置５５によって集塵されたアスベストは、図示しない配管より所定の袋等に回収されるようになっている。
【００２０】
図４に示すように、セキュリティ架台６は、作業架台５の下側（正確には、作業床５２の下側）に配置され、作業架台５と同様にトラス状に骨組みされて形成されている。図１及び図２に示すように、セキュリティ架台６は、その全周が隔離シート６１によって覆われた状態となっている。そして、セキュリティ架台６の一部が出入口５２ａに連通していて、内部昇降階段６３によって作業ゾーンＲとセキュリティゾーンＵとの間を出入りすることができるようになっている。ただし、その境界には、上述したように開閉扉が設置されている。
そして、セキュリティゾーンＵ内は、内部にエアシャワー装置６２、６２が設置され、作業ゾーンＲ内から出てきた作業員に付着しているアスベスト片をエアの噴出により除去できるようになっている。
【００２１】
また、セキュリティ架台６には、外部との出入り用の外部昇降階段６４が設けられている。そして、外部昇降階段６４は、建築物２の壁面２ｂに設けられている通路７上に連絡できるように配置されている（図４参照）。
【００２２】
次に、このように構成される作業ユニット１の作用、施工方法について図面に基づいて説明する。
図１乃至図３に示すように、作業ユニット１を設置する際には、例えば、走行レール３、３を除く部分を地上部で組み立て、それを巻上機や滑車を適宜設置して、組み立てた作業ユニット１をワイヤーロープ等を用いて吊り上げ、走行台車４を走行レール３上に載置させるようにして組み立てるようにする。
【００２３】
そして、アスベスト除去作業時には、作業架台５をセキュリティ架台６と共に所定の天井面２ａに移動させ、その位置で作業架台５の作業ゾーンＲを隔離シート５４で覆って密閉状態とすることで、その作業ゾーンＲを周囲から隔離した状態とする。これにより、作業ゾーンＲ内でアスベスト除去作業を行なうことができる。そして、作業架台５を順次移動させることで、天井面２ａにおける作業位置を変えながら天井面２ａの全除去範囲の除去作業が行われることになる。
【００２４】
なお、作業架台５を移動する際には、隔離シート５４の上端と天井面２ａとの固定を取り外して、次の作業箇所に移動した後に再び隔離シート５４の上端を天井面２ａに密接した状態で固定させるようにする。なお、この作業ゾーンＲを開放する際には、作業ゾーンＲ内のアスベスト片が無い状態としてから行なうことはいうまでもない。また、作業架台５を移動させる度に、隔離シート５４を交換するようにしてもかまわない。
【００２５】
ここで、アスベスト除去作業等で作業ゾーンＲ内にいた作業員がその作業ゾーンＲ外に出る際には、セキュリティゾーンＵに通じる出入口５２ａから内部昇降階段６３を使用してセキュリティゾーンＵ内に入り、エアシャワー装置６２によって、その人に付着しているアスベスト片をエアの噴出により除去するようにする。
【００２６】
このように、本作業ユニット１では、作業ゾーンＲを隔離シート５４によって周囲から隔離された空間とするとともに、その作業ゾーンＲ内を除塵装置５５で減圧することで、作業ゾーンＲを外部から確実に隔離することができるため、作業ゾーンＲ内で生じたアスベスト片が作業ゾーンＲの外方に拡散することを防ぐことができる。
そして、作業ユニット１は、作業架台５を走行レール３、３に沿わせて移動させることができるので、作業ゾーンＲを限定させた大きさにすることができる。つまり、作業ユニット１が簡単な設備となることから、これらの設備の組み立て、解体、運搬にかかるコストの低減を図ることができる。
【００２７】
また、本実施の形態では、建築物２内に予め設置されている天井クレーン用の走行レール３、３を使用することができるので、新たにレールを設置する必要がなくなり、作業ユニット１の組み立てにかかる時間の短縮を図ることができる。
さらに、アスベスト除去作業中において、従来のように施工する天井面２ａの全面にわたって作業足場を設置する必要がないので、足場材の部材費、組み立て、解体、運搬にかかるコストを低減することができるとともに、例えば建築物に予め設置されている機械、器具、計器類等の設備を移動させたり、シート等で覆う手間をなくすことができる。
【００２８】
上述のように本実施の形態による作業ユニットでは、移動可能な作業ゾーンＲを隔離シート５４によって周囲から隔離し、且つ除塵装置５５によって減圧させ、さらに作業ゾーンＲへの人の出入りをセキュリティゾーンＵを介して行なうことができ、作業によって生じるアスベスト片が作業ゾーンＲから外方に拡散することを確実に防ぐことができる。そのため、作業ゾーンＲの隔離範囲を限定することができ、作業ユニット１を簡単且つ小規模化させることができる。したがって、従来のように室内（空間内）全体を隔離するための隔離シートを設置したり、その室内全体を減圧するために多数の除塵装置を設置する必要がなく、コストの低減と工期の短縮を図ることができる。
さらに、大空間建築物であっても作業範囲の全面に作業足場を設置する必要がなくなることから、コストを低減することができるうえ、組み立てや解体にかかる工期の短縮を図ることができる。
そして、作業ユニット１の外方の空間を確保することができ、その空間を有効利用できるため、作業ユニット１の外方では例えば機械、設備の点検等の他の作業を行うことがきるといった効果を奏する。
【００２９】
以上、本発明による作業ユニットの実施の形態について説明したが、本発明は上記の実施の形態に限定されるものではなく、その趣旨を逸脱しない範囲で適宜変更可能である。
例えば、本実施の形態ではアスベスト除去作業を作業ユニット１における作業対象としているが、これに限定されることはなく、例えばアスベスト除去後の復旧作業などを行う場合にも本作業ユニット１を使用することができる。
また、作業ユニット１による作業面を天井面２ａとしているが、アスベスト除去作業の対象を建築物２の壁面２ｂとしてもかまわない。この場合、壁面２ｂ側を開口させた状態で作業ゾーンＲを隔離するように隔離シート５４を設置する。その際、隔離シート５４は作業面（壁面２ｂ）に対して密接した状態で固定し、作業ゾーンＲの外方にアスベスト片が飛散しないようにする。
【００３０】
そして、本実施の形態では建築物２内に予め設置されている天井クレーン用の走行レール３、３を用いた構成としているが、これに限定されることはなく、例えば、建築物２の壁面２ｂに設けられている通路７や、壁面２ｂに沿って建築物２の床から立ち上げた作業足場上にＨ型鋼材等からなるガイド部材を延設し、その鋼材に沿って例えばチルタンク等の車輪やガイドローラを有する走行台車を移動させるようにしてもかまわない。また、天井にガイド部材を固定して或いは吊って、そのガイド部材に対して作業架台５（セキュリティ架台６を含む）が吊り下げられるような形態であってもかまわない。
さらに、作業架台５、セキュリティ架台６の大きさ、高さ、出入口５２ａ、走行台車４、除塵装置５５、エアシャワー装置６２、内部及び外部昇降階段６３、６４等の位置、大きさ、数量の具体的な構成その他は、実施すべき建築物２の形状、内部空間の大きさ、天井の高さ、走行レールの位置など施工条件を考慮して最適に設計すればよい。
【図面の簡単な説明】
【００３１】
【図１】本発明の実施の形態による作業ユニットの全体概要を示す側面図である。
【図２】作業ユニットの正面図である。
【図３】作業ユニットの平面図である。
【図４】図２に示す作業ユニットの骨組み構造の正面図である。
【符号の説明】
【００３２】
１  作業ユニット
２  建築物
２ａ  天井面
２ｂ  壁面
３  走行レール（ガイド部材）
４  走行台車
５  作業架台
５４  隔離シート（仕切り部材）
５５  除塵装置（減圧手段）
６  セキュリティ架台
６１  隔離シート
６２  エアシャワー装置
Ｒ  作業ゾーン
Ｕ  セキュリティゾーン
【図１】
2008308914.tif 000003
【図２】
2008308914.tif 000004
【図３】
2008308914.tif 000005
【図４】
2008308914.tif 000006